(57)【要約】【課題】室内空間全体の温度分布を均一化することができる空気調和機を提供する。【解決手段】室内機５０は、筐体４の正面に４つの吹出口を有している。４つの吹出口は、上吹出口１、右側部吹出口２ａ、左側部吹出口２ｂ、および下吹出口３からなる。一方、吸込口１０は、筐体４の背面に設けられている。これによれば、コアンダ効果によって、上吹出口１から吹き出された暖気は天井面に沿って流れ、下吹出口３から吹き出された暖気は床面に沿って流れ、右側部吹出口２ａおよび左側部吹出口２ｂのそれぞれから吹き出された暖気は部屋の壁面に沿って流れる。その結果、室内空間全体が包み込まれるような暖気が生成される。【選択図】図１
2008185274.tif 000002
【特許請求の範囲】
【請求項１】
筐体と、
前記筐体内に設けられたファンと、
前記筐体の上部の正面に設けられ、前記ファンが生成した気流を外部へ放出するための上吹出口と、
前記筐体の下部の正面に設けられ、前記ファンが生成した気流を外部へ放出するための下吹出口と、
前記筐体の左側部の正面に設けられ、前記ファンが生成した気流を外部へ放出するための左側部吹出口と、
前記筐体の右側部の正面に設けられ、前記ファンが生成した気流を外部へ放出するための右側部吹出口と、
前記筐体の背面に設けられ、外部から前記ファンに向かって気流を導くための吸込口と、
前記筐体内に設けられ、前記ファンが生成した気流に冷熱または温熱を与える熱交換器とを備えた、空気調和機。
【請求項２】
前記ファンと前記下吹出口との間の流路を構成する下ダクトと、
前記下ダクト内に設けられた下ダンパと、
前記ファンおよび前記ダンパを制御するコントローラとをさらに備え、
前記コントローラは、冷房運転時に前記下ダンパを閉じる制御を実行する、請求項１に記載の空気調和機。
【請求項３】
前記ファンと前記下吹出口との間の流路を構成する下ダクトと、
前記下ダクト内に設けられた下ダンパと、
前記ファンおよび前記ダンパを制御するコントローラとをさらに備え、
前記コントローラは、暖房運転時に前記下ダンパを開く制御を実行する、請求項１に記載の空気調和機。
【請求項４】
前記ファンと前記下吹出口との間の流路を構成する下ダクトと、
前記下ダクト内に設けられた下ダンパと、
前記ファンおよび前記ダンパを制御するコントローラとをさらに備え、
前記コントローラは、暖房運転時に前記下ダンパを閉じる制御を実行する、請求項１に記載の空気調和機。
【請求項５】
前記ファンと前記下吹出口との間の流路を構成する下ダクトと、
前記下ダクト内に設けられた下ダンパと、
前記ファンおよび前記ダンパを制御するコントローラとをさらに備え、
前記コントローラは、最大出力での冷房運転のための制御をしている場合に、目標とする室内温度の設定値を最も低くするとともに前記下ダンパを開く制御を実行する、請求項１に記載の空気調和機。
【請求項６】
前記ファンと前記下吹出口との間の流路を構成する下ダクトと、
前記下ダクト内に設けられた下ダンパと、
前記ファンと前記上吹出口との間の流路を構成する上ダクトと、
前記ダクト内に設けられた上ダンパと、
前記ファン、前記下ダンパ、および前記上ダンパを制御するコントローラとをさらに備え、
前記コントローラは、冷房運転時に前記上ダンパを開くとともに前記下ダンパを閉じる制御を実行する、請求項１に記載の空気調和機。
【請求項７】
前記ファンと前記下吹出口との間の流路を構成する下ダクトと、
前記下ダクト内に設けられた下ダンパと、
前記ファンと前記上吹出口との間の流路を構成する上ダクトと、
前記ダクト内に設けられた上ダンパと、
前記ファン、前記下ダンパ、および前記上ダンパを制御するコントローラとをさらに備え、
前記コントローラは、暖房運転時に前記上ダンパを開くとともに前記下ダンパを閉じる制御を実行する、請求項１に記載の空気調和機。
【請求項８】
前記ファンと前記下吹出口との間の流路を構成する下ダクトと、
前記下ダクト内に設けられた下ダンパと、
前記ファンと前記上吹出口との間の流路を構成する上ダクトと、
前記ダクト内に設けられた上ダンパと、
前記ファン、前記下ダンパ、および前記上ダンパを制御するコントローラとをさらに備え、
前記コントローラは、暖房運転時に前記上ダンパを閉じるとともに前記下ダンパを開く制御を実行する、請求項１に記載の空気調和機。
【請求項９】
前記ファンと前記下吹出口との間の流路を構成する下ダクトと、
前記下ダクト内に設けられた下ダンパと、
前記ファンと前記上吹出口との間の流路を構成する上ダクトと、
前記ダクト内に設けられた上ダンパと、
前記ファン、前記下ダンパ、および前記上ダンパを制御するコントローラとをさらに備え、
前記コントローラは、最大出力での冷房運転のための制御を実行している場合に、目標とする室内温度の設定値を最も低くするとともに前記下ダンパおよび前記上ダンパの双方を開く制御を実行する、請求項１に記載の空気調和機。
【請求項１０】
室内の空気の温度を測定する室内温度センサまたは前記熱交換器の温度を測定する熱交換器温度センサをさらに備え、
前記コントローラは、最大出力で冷房運転しながら前記下ダンパおよび前記上ダンパの双方を開く制御をしている場合に、前記室内温度センサまたは前記熱交換器温度センサによって検出された室内温度の値が目標とする室内温度または熱交換器の温度の設定値より低い値になるかまたは所定時間だけ継続して前記設定値より高い所定値と前記設定値との間の値になっていれば、前記下ダンパを閉じる制御を実行する、請求項９に記載の空気調和機。
【請求項１１】
前記ファンと前記下吹出口との間の流路を構成する下ダクトと、
前記下ダクト内に設けられた下ダンパと、
前記ファンと前記上吹出口との間の流路を構成する上ダクトと、
前記ダクト内に設けられた上ダンパと、
前記ファン、前記下ダンパ、および前記上ダンパを制御するコントローラとをさらに備え、
前記コントローラは、最大出力での暖房運転のための制御を実行している場合には、目標とする室内温度の設定値を最も高くするとともに前記下ダンパおよび前記上ダンパの双方を開く制御を実行する、請求項１に記載の空気調和機。
【請求項１２】
室内の空気の温度を測定する室内温度センサまたは前記熱交換器の温度を測定する熱交換器温度センサをさらに備え、
前記コントローラは、最大出力で暖房運転をしながら前記下ダンパおよび前記上ダンパの双方を開く制御を実行している場合に、前記室内温度センサまたは前記熱交換器温度センサによって検出される室内温度または熱交換器の温度の値が目標とする室内温度または熱交換器の温度の設定値を超えれば、前記上ダンパを閉じる制御を実行する、請求項１１に記載の空気調和機。
【請求項１３】
前記左側部吹出口を閉じ得るとともに前記左側部吹出口から吹き出される風が流れる方向を変化させ得るように姿勢を変更することが可能に設けられた左側部蓋部材と、
前記右側部吹出口を閉じ得るとともに前記右側部吹出口から吹き出される風が流れる方向を変化させ得るように姿勢を変更することが可能に設けられた右側部蓋部材とをさらに備えた、請求項１に記載の空気調和機。
【請求項１４】
前記左側部蓋部材および前記右側部蓋部材は、それぞれ、当該空気調和機によって温度調節される空間内の当該空気調和機の設置位置に応じて姿勢が変更され得るものである、請求項１３に記載の空気調和機。
【発明の詳細な説明】
【技術分野】
【０００１】
本発明は、室内の床上に置いて用いられるファン−熱交換器ユニットを有する空気調和機に関するものである。
【背景技術】
【０００２】
従来から、空気調和機の一例として、リビングなどに設置されるパッケージエアコン等が用いられている。従来のパッケージエアコン等の空気調和機の床置き式の室内機、すなわち、床置き式のファン交換器−ユニットにおいては、一般的に、下部の正面に設けられた吸込口から外部の空気が吸い込まれ、上部の正面に設けられた吹出口から冷風または温風が吹き出される。
【特許文献１】特開２００６−１８９１９８号公報
【発明の開示】
【発明が解決しようとする課題】
【０００３】
一般に、たとえば空気調和機の暖房運転時には床面に温かい空気を接触させることが望ましい。ただし、床面に温かい空気を接触させるように温風を吹き出すためには、空気調和機の下部の正面に温風の吹出口を設ける必要がある。しかしながら、たとえば、何ら工夫なく、吸込口と吹出口との双方を正面に設けてしまうと、空気調和機の下部の正面の吹出口から吹き出された温風が上昇して吸込口から空気調和機内へ吸い込まれてしまう。つまり、温風のショートサーキットが発生してしまう。ショートサーキットが発生すると、室内空間全体の温度分布を均一にすることができなくなる。なお、冷房運転時においても、同様の不具合が生じるおそれがある。
【０００４】
また、パッケージエアコン等の床置式の室内機は、室内空間のコーナー部に設置される場合が多い。この場合には、室内機からの風の吹出し方向が主に室内空間を構成する直方体の一の対角線方向に沿って吹き出される。そのため、前述の一の対角線とは異なる他の対角線上にある室内空間のコーナー部の近傍には、冷風または温風が到達し難くい。
【０００５】
本発明は、上述の問題に鑑みなされたものであり、その目的は、室内空間全体の温度分布を均一化することができる空気調和機を提供することである。
【課題を解決するための手段】
【０００６】
本発明の空気調和機は、筐体と、筐体内に設けられたファンと、筐体の上部の正面に設けられ、ファンが生成した気流を外部へ放出するための上吹出口と、筐体の下部の正面に設けられ、ファンが生成した気流を外部へ放出するための下吹出口とを備えている。また、空気調和機は、筐体の左側部の正面に設けられ、ファンが生成した気流を外部へ放出するための左側部吹出口と、筐体の右側部の正面に設けられ、ファンが生成した気流を外部へ放出するための右側部吹出口と、筐体の背面に設けられ、外部からファンに向かって気流を導くための吸込口と、筐体内に設けられ、ファンが生成した気流に冷熱または温熱を与える熱交換器とを備えている。
【０００７】
これによれば、吹出口と吸込口との間でショートサーキットが生じてしまうことなく、床面に沿って温風を吹き出すことができる。また、コアンダ効果によって、上吹出口から吹き出された暖気は天井面に沿って流れ、下吹出口から吹き出された暖気は床面に沿って流れ、左側部吹出口および右側部吹出口のそれぞれから吹き出された暖気は壁面に沿って流れる。その結果、室内空間全体が包み込まれるような暖気が生成される。したがって、暖房運転時において室内空間の温度分布を均一化することができる。
【０００８】
また、本発明の空気調和機は、より好ましくは、ファンと下吹出口との間の流路を構成する下ダクトと、下ダクト内に設けられた下ダンパと、ファンおよびダンパを制御するコントローラとをさらに備えており、コントローラが冷房運転時に下ダンパを閉じる制御を実行する。
【０００９】
上記の構成によれば、冷房運転時（除湿運転時を含む）に下ダンパを適宜閉じることによって、下吹出口から冷風を吹き出すことなく、上吹出口、左側部吹出口、および右側部吹出口のみから冷風を吹き出すことができる。それにより、冷房運転時において床面の近傍に冷気溜りが発生してしまうことが防止される。一方、上吹出口から吹き出される冷気は、上方から下方へ降り注ぐ。したがって、冷房運転時に室内空間の温度分布が上下方向においてより均一になる。
【００１０】
本発明の空気調和機は、より好ましくは、ファンと下吹出口との間の流路を構成する下ダクトと、下ダクト内に設けられた下ダンパと、ファンおよびダンパを制御するコントローラとをさらに備えており、コントローラが暖房運転時に下ダンパを開く制御を実行する。
【００１１】
上記の構成によれば、暖房運転時に上吹出口、下吹出口、左側部吹出口、および右側部吹出口から温風が吹き出されることにより、上述のように、室内空間の温度分布を均一化することができる。
【００１２】
また、本発明の空気調和機は、より好ましくは、ファンと下吹出口との間の流路を構成する下ダクトと、下ダクト内に設けられた下ダンパと、ファンおよびダンパを制御するコントローラとをさらに備えており、コントローラが暖房運転時に下ダンパを閉じる制御を実行する。
【００１３】
上記の構成によれば、下吹出口から吹き出された温風が床面から上方へ向かって吹き上がることに起因する不都合の発生を防止することができる。なお、不都合の一例としては、下吹出口から吹き出された温風によって机上の書類が舞い上がってしまったり、下吹出口から吹き出された温風が床面上に置かれた物体に衝突してしまったりすることが考えられる。
【００１４】
また、本発明の空気調和機は、より好ましくは、ファンと下吹出口との間の流路を構成する下ダクトと、下ダクト内に設けられた下ダンパと、ファンおよびダンパを制御するコントローラとをさらに備えており、コントローラが、最大出力での冷房運転のための制御をしている場合に、目標とする室内温度の設定値を最も低くするとともに下ダンパを開く制御を実行する。
【００１５】
上記の構成によれば、最大出力で冷房運転が行なわれているときに、上吹出口、左側部吹出口、および右側部吹出口のみならず、下吹出口からも冷風を吹き出すことによって、室内空間を急速に冷房することが可能になる。
【００１６】
また、本発明の空気調和機は、より好ましくは、ファンと下吹出口との間の流路を構成する下ダクトと、下ダクト内に設けられた下ダンパと、ファンと上吹出口との間の流路を構成する上ダクトと、ダクト内に設けられた上ダンパと、ファン、下ダンパ、および上ダンパを制御するコントローラとをさらに備えている。この場合、コントローラは、冷房運転時に上ダンパを開くとともに下ダンパを閉じる制御を実行することが望ましい。
【００１７】
上記の構成によれば、冷房運転時に上吹出口、左側部吹出口、および右側部吹出口から冷風が吹き出される。これによれば、前述のように、冷房運転時には、下吹出口から冷風が吹き出されないため、床面の近傍に冷気溜りが発生してしまうことが防止される。なお、上吹出口から吹き出される冷気が上方から下方へ降り注ぐため、室内空間の温度分布が上下方向においてより均一になる。
【００１８】
また、本発明の空気調和機は、より好ましくは、ファンと下吹出口との間の流路を構成する下ダクトと、下ダクト内に設けられた下ダンパと、ファンと上吹出口との間の流路を構成する上ダクトと、ダクト内に設けられた上ダンパと、ファン、下ダンパ、および上ダンパを制御するコントローラとをさらに備えている。この場合、コントローラが暖房運転時に上ダンパを開くとともに下ダンパを閉じる制御を実行することが望ましい。
【００１９】
これによれば、暖房運転時に、下ダンパを閉じることにより、上吹出口、左側部吹出口、および右側部吹出口から温風が吹き出される。したがって、下吹出口から吹き出された気流が床面から上方に向かって吹き上がることに起因する不都合の発生を防止することができる。このとき、上ダンパを開くことにより、温風の風量を大きくすることができるため、暖房能力を向上させることができる。
【００２０】
また、本発明の空気調和機は、より好ましくは、ファンと下吹出口との間の流路を構成する下ダクトと、下ダクト内に設けられた下ダンパと、ファンと上吹出口との間の流路を構成する上ダクトと、ダクト内に設けられた上ダンパと、ファン、下ダンパ、および上ダンパを制御するコントローラとをさらに備えている。この場合、コントローラが暖房運転時に上ダンパを閉じるとともに下ダンパを開く制御を実行することが望ましい。
【００２１】
これによれば、暖房運転時に下吹出口、左側部吹出口、および右側部吹出口から温風が吹き出される。つまり、暖房運転時に上吹出口から温風が吹き出されない。そのため、下吹出口、左側部吹出口、および右側部吹出口から吹き出される温風の量が増加する。その結果、床面の近傍の空間において空気調和機から遠い位置まで温風を到達させることができる。
【００２２】
また、本発明の空気調和機は、より好ましくは、ファンと下吹出口との間の流路を構成する下ダクトと、下ダクト内に設けられた下ダンパと、ファンと上吹出口との間の流路を構成する上ダクトと、ダクト内に設けられた上ダンパと、ファン、下ダンパ、および上ダンパを制御するコントローラとをさらに備えている。この場合、コントローラが、最大出力での冷房運転のための制御を実行している場合に、目標とする室内温度の設定値を最も低くするとともに下ダンパおよび上ダンパの双方を開く制御を実行することが望ましい。
【００２３】
上記の構成によれば、最大出力での冷房運転が行なわれている場合には、上吹出口、下吹出口、左側部吹出口、および右側部吹出口から風が吹き出される。そのため、冷房運転時においては、室外空間を急速に冷房することが可能になる。
【００２４】
前述の場合、本発明の空気調和機は、さらに好ましくは、室内の空気の温度を測定する室内温度センサまたは熱交換器の温度を測定する熱交換器温度センサをさらに備えている。この場合、コントローラが、最大出力で冷房運転しながら下ダンパおよび上ダンパの双方を開く制御をしている場合に、室内温度センサまたは熱交換器温度センサによって検出された室内温度の値が目標とする室内温度または熱交換器の温度の設定値より低い値になるかまたは所定時間だけ継続して設定値より高い所定値とその設定値との間の値になっていれば、下ダンパを閉じる制御を実行することが望ましい。
【００２５】
一般に、冷房運転時に、長時間にわたって下吹出口から冷風を吹き出していると、床面に結露が発生する恐れがある。しかしながら、上記の構成によれば、室内温度が目標とする温度まで下がっていると推定される場合には、下ダンパを閉じることにより、下吹出口からの冷風の吹き出しが停止されるため、床面上での結露の発生を防止することができる。
【００２６】
また、本発明の空気調和機は、より好ましくは、ファンと下吹出口との間の流路を構成する下ダクトと、下ダクト内に設けられた下ダンパと、ファンと上吹出口との間の流路を構成する上ダクトと、ダクト内に設けられた上ダンパと、ファン、下ダンパ、および上ダンパを制御するコントローラとをさらに備えている。この場合、コントローラは、最大出力での暖房運転のための制御を実行している場合には、目標とする室内温度の設定値を最も高くするとともに下ダンパおよび上ダンパの双方を開く制御を実行することが望ましい。
【００２７】
上記の構成によれば、最大出力での暖房運転時においては、空気調和機から吹き出される全風量が増加するため、暖房能力が向上する。
【００２８】
前述の場合、本発明の空気調和機は、さらに好ましくは、室内の空気の温度を測定する室内温度センサまたは熱交換器の温度を測定する熱交換器温度センサをさらに備えている。また、コントローラは、最大出力で暖房運転をしながら下ダンパおよび上ダンパの双方を開く制御を実行している場合に、室内温度センサまたは熱交換器温度センサによって検出される室内温度または熱交換器の温度の値が目標とする室内温度または熱交換機の温度の設定値を超えれば、上ダンパを閉じる制御を実行することが望ましい。
【００２９】
一般に、温風は、空気密度が低く軽いため、上方へ流れ易くなっている。この場合、上記の構成によれば、室内空間の温度が既に設定温度に達しているかまたは超えているときに、上吹出口から温風が吹き出されることを停止することによって、室内空気の温度の均一性を維持することができる。
【００３０】
本発明の空気調和機は、左側部吹出口を閉じ得るとともに左側部吹出口から吹き出される風が流れる方向を変化させ得るように姿勢を変更することが可能に設けられた左側部蓋部材と、右側部吹出口を閉じ得るとともに右側部吹出口から吹き出される風が流れる方向を変化させ得るように姿勢を変更することが可能に設けられた右側部蓋部材とをさらに備えていることが望ましい。
【００３１】
また、左側部蓋部材および右側部蓋部材は、それぞれ、当該空気調和機によって温度調節される空間内の当該空気調和機の設置位置に応じて姿勢が変更され得るものであることが望ましい。
【００３２】
上記構成によれば、空気調和機の空間内における設置位置に応じて内側壁に沿った方向において効果的に風を吹き出すことが可能になる。そのため、コアンダ効果を利用して室内空間全体を包み込むように風を生成することによって、室内空間の温度分布を均一化することができる。また、左側部蓋部材および右側部蓋部材がそれぞれ左側部吹出口および右側部吹出口を閉じているときには、上吹出口から集中的に風を吹き出すことができるため、通常ユーザが居住する室内空間の中央部を急速に冷房または暖房することができる。
【発明を実施するための最良の形態】
【００３３】
以下、図面を参照しながら、本発明の実施の形態の空気調和機を説明する。なお、以下参照される図面において同一の符号が付されている部位は、同一の機能を果たすものであるため、特に必要がない限り、その説明は繰り返さない。
【００３４】
（実施の形態１）
まず、図１〜図１６を用いて、本実施の形態の空気調和機の構造が説明される。本実施の形態の空気調和機は、図１〜図１４に示されるように、室内機５０を備えている。室内機５０は、ファンと熱交換器とを含むユニットであって、室内の床上に置かれて、使用されるものである。また、本実施の形態においては、室内機５０に空気調和機の発明の特徴が備えられているため、室外機の説明については省略されるとともに、室外機は図示されていない。室外機は、通常の空気調和機に用いられる室外機と全く同様の機能を有している。なお、一般に、室外機は、冷媒を圧縮するコンプレッサおよび室外熱交換器を有しており、室内機５０と室外機とは冷媒が循環する配管によって接続されている。
【００３５】
室内機５０は、図１および図２に示されるように、筐体４を備えている。筐体４は、その正面に４つの吹出口を有している。４つの吹出口は、上吹出口１、左側部吹出口２ｂ、右側部吹出口２ａ、および下吹出口３からなる。
【００３６】
また、図３に示されるように、筐体４内には、気流を生成するファン５が設けられている。ファン５は、上ダクト１９および下ダクト１６に対して気流を流すことができる。また、下ダクト１６内には下ダンパ６が設けられており、下ダンパ６の開閉動作によって、下ダクト１６内を気流が進行するか否かが決定される。また、上ダクト１９内には、上ダンパ９が設けられており、上ダンパ９の開閉動作によって、上吹出口１から気流が吹き出されるか否かが決定される。
【００３７】
また、図４に示されるように、筐体４の背面の中央部には、吸込口１０が設けられている。吸込口１０の近傍にはフィルタ８が設けられている。フィルタ８は、吸込口１０を通過する空気から埃等の異物を除去する。フィルタ８を通過した空気は熱交換器７を通過する。このとき、空気と熱交換器７との間で熱交換が行なわれる。熱交換された空気は、ファン５に到達した後、ファン５を経て、上ダクト１９および下ダクト１６に流れ込む。
【００３８】
このような本実施の形態の空気調和機においては、熱交換器７がファン５の上流側に設けられているため、すなわち、ファン５が熱交換器の下流に設けられているため、ファン５が生成した気流の速度が熱交換器７によって低下されることなく、上ダクト１９および下ダクト１６に流れ込む。したがって、上吹出口１、左側部吹出口２ｂ、右側部吹出口２ａ、および下吹出口３から吹出される気流の速度が従来に比べて大きくなっている。
【００３９】
上記本実施の形態の空気調和機の構造によれば、上吹出口１、下吹出口３、左側部吹出口２ｂ、および右側部吹出口２ａのそれぞれと吸込口１０との間でショートサーキットが生じてしまうことなく、天井面、床面、および壁面に沿って冷風または温風を吹き出すことができる。
【００４０】
また、コアンダ効果によって、図５〜図８に示されるように、上吹出口１から吹き出された暖気は天井面１００ａに沿って流れ、下吹出口３から吹き出された暖気は床面１００ｂに沿って流れ、左側部吹出口２ｂおよび右側部吹出口２ａのそれぞれから吹き出された暖気は部屋の壁面１００ｃに沿って流れる。その結果、室内空間全体が包み込まれるような冷気または暖気が生成される。したがって、冷房運転時および暖房運転時のそれぞれにおいて室内空間の温度分布を均一化することができる。
【００４１】
図５〜図８を用いて、上記実施の形態の空気調和機の室内機が生成する気流がより詳細に説明される。図５〜図８に示されるように、直方体の室内空間の角部の内側の床面上に室内機５０が設置されている。この場合には、上吹出口１および下吹出口３の双方から気流が吹き出される場合においては、図５および図６に示されるように、天井面１００ａ、床面１００ｂ、および壁面１００ｃに沿って気流が流れる。一方、下ダンパ６が閉じられ上吹出口１のみから気流が吹き出されている場合には、図７および図８に示されるように、天井面１００ａに沿って気流が流れるが、床面１００ｂの付近には気流は生じない。また、壁面１００ｃの壁に沿って気流が流れることは同様である。
【００４２】
また、筐体４内にはコントローラ３０が設けられている。コントローラ３０はファン５を回転させる駆動装置（図示せず）、上ダンパ９を回動させる駆動装置（図示せず）、および下ダンパ６を回動させる駆動装置（図示せず）に電気的に接続されている。また、コントローラ３０は、操作部２０を用いたユーザからの指令信号の入力を受けて、各駆動装置を制御することにより、上ダンパ９および下ダンパ６のそれぞれの開閉動作を独立して制御する。
【００４３】
なお、上ダンパ９および下ダンパ６を回動させる駆動装置は、それぞれ、ステッピングモータ等からなっている。より具体的には、コントローラ３０は、上ダンパ９および下ダンパ６の開閉動作のために、ステッピングモータに回転角度を調節する。それにより、コントローラ３０は、上ダンパ９および下ダンパ６のそれぞれの姿勢を制御する。さらに、コントローラ３０は、ユーザから出された指令信号の種類に応じて、ファン５の回転数を制御する。それにより、上ダクト１９および下ダクト１６内を流れる気流の速度を制御することができる。
【００４４】
図１〜図４に示す本実施の形態の室内機５０の構造が、図９〜図１１に模式的に示されている。なお、図１０には、上吹出口１の開閉を行なうための上ルーバ１ａと、下吹出口３の開閉を行なう下ルーバ３ａとが描かれている。上ルーバ１ａの姿勢および下ルーバ３ａの姿勢は、それぞれ、手動で変更されてもよいが、上ダンパ９および下ダンパ６の制御と連動するようにコントローラ３０の制御によって変更されてもよい。
【００４５】
なお、本実施の形態においては、上ダクト１９を流れる気体の流量を制御するために、上ダンパ９が設けられている室内機５０が示されているが、図１２および図１３に示されるように、上ダンパ９が設けられておらずに下ダンパ６のみが設けられている空気調和機が用いられてもよい。ただし、上ダンパ９および下ダンパ６の双方が設けられている空気調和機は、上ダンパ９を常に開いた状態にすることによって、下ダンパ６のみが設けられている空気調和機によって発揮される機能と同様の機能を発揮することができる。
【００４６】
また、本実施の形態の室内機５０内における空気の流れが図１４に矢印で示されている。本実施の形態の室内機５０においては、吸込口１０から吸込まれた空気は、フィルタ８、熱交換器７、およびファン５を経由して、上ダクト１９および下ダクト１６のそれぞれに送り込まれ、その後、上吹出口１および下吹出口３から外部へ排出される。
【００４７】
次に、本実施の形態の空気調和機の制御システムが、図１５に示されているブロック図を用いて説明される。
【００４８】
図１５において、コントローラ３０は、操作部２０の操作によって送信されてきた制御信号に応じた制御を行なうとともに、室内温度センサ４０および熱交換器温度センサ６０のそれぞれが検出した温度を特定可能な信号に応じた制御を行なうことができる。
【００４９】
また、コントローラ３０は、モータ６ａに指令信号を出力する。モータ６ａの回転により下ダンパ６の姿勢が制御される。また、コントローラ３０は、モータ９ａに指令信号を送信する。モータ９ａは、上ダンパ９の姿勢を制御する。さらに、コントローラ３０は、モータ５ａに指定信号を送信する。モータ５ａの回転により、ファン５の回転速度が制御される。
【００５０】
次に、図１６を用いて、本実施の形態の空気調和機の室内機５０のコントローラ３０において行なわれる制御フローが説明される。なお、図１６は、図１２に示されるような上ダンパ９および上ルーバ１ａが設けられていない空気調和機の制御を示すフローチャートである。
【００５１】
図１６に示されるように、本実施の形態の空気調和機の室内機５０の制御フローにおいては、コントローラ３０は、まず、冷房運転を開始すると、上ルーバ１ａ、左ルーバ（図示せず）、および右ルーバ（図示せず）を開く。
【００５２】
次に、ステップＳ１において、現在の運転状態が冷房であるかまたは暖房であるのかが判定される。ステップＳ１において、現在の運転状態が冷房であると判定された場合には、ステップＳ２において、下ダンパ６および下ルーバ３ａを閉じるための制御が実行される。なお、下ルーバ３ａが手動式である場合には、下ルーバ３ａは常に開かれた状態になっているものとする。また、下ルーバ３ａは、下ダンパ６の動作に連動して開閉制御が行なわれるものでない場合には、常に開いているように制御される。次に、ステップＳ３において、その他の通常仕様の運転が実行される。
【００５３】
一方、ステップＳ１において、現在の運転状態が暖房運転状態であると判定された場合には、ステップＳ４において、下ダンパ６および下ルーバ３ａを開くための制御が行なわれる。その後、ステップＳ３において、その他の通常仕様の運転が行なわれる。
【００５４】
図１６に示されるように、本実施の形態の空気調和機の室内機５０の制御においては、冷房運転時には、下ダンパ６および下ルーバ３ａが閉じられ得るため、床面に沿って冷気が流れることが抑制され得る。なお、下ルーバ３ａが手動式である場合には、下ルーバ３ａは常に開かれた状態になっているものとするため、下ダンパ６のみが閉じられることによって、床面上での結露の発生が防止される。また、暖房運転時には、下ダンパ６および下ルーバ３ａが開かれるため、床面に沿って、暖かい空気が流れる。その結果、床面の近傍も含めて、室内空気をより均一な温度にすることが可能になる。
【００５５】
なお、本実施の形態においては、下ルーバ３ａが設けられている空気調和機が示されているが、下ルーバ３ａが設けられていない空気調和機において下ダンパ６のみを前述のように制御しても、本実施の形態の空気調和機によって得られる効果と同様の効果を得ることができる。このことは、以下に示される各実施の形態の空気調和機の制御においても同様である。
【００５６】
また、本実施の形態においては、下ルーバ３ａが設けられている空気調和機において、下ルーバ３ａを手動またはコントローラ３０の制御によって常に開いた状態に設定しておき、下ダンパ６のみを前述のように制御しても、本実施の形態の空気調和機によって得られる効果と同様の効果を得ることができる。このことは、以下に示される各実施の形態の空気調和機の制御においても同様である。
【００５７】
（実施の形態２）
次に、図１７を用いて、本実施の形態の空気調和機の室内機５０のコントローラ３０において行なわれる制御フローが説明される。なお、図１７は、図１２に示されるような上ダンパ９および上ルーバ１ａが設けられていない空気調和機の制御を示すフローチャートである。
【００５８】
本実施の形態の空気調和機の室内機５０の構造および機能は、前述の実施の形態１の空気調和機の室内機５０の構造および機能とほぼ同一であるため、以下においては、本実施の形態の空気調和機の室内機５０の構成のうち上記実施の形態１の空気調和機の室内機５０の構成と異なる点が主に説明される。
【００５９】
本実施の形態においては、図１７に示されるように、まず、ステップＳ１１において、現在の運転状態が冷房運転状態であるかまたは暖房運転状態であるかが判定される。ステップＳ１１において、現在の運転状態が冷房状態であると判定されれば、ステップＳ１２において、下ダンパ６および下ルーバ３ａを閉じる制御が実行される。その後、ステップＳ１３において、その他の通常仕様の運転が実行される。
【００６０】
一方、ステップＳ１１において、現在の運転状態が暖房運転状態であると判定された場合には、ステップＳ１４において、上吹出口１、左側部吹出口２ｂ、および右側部吹出口２ａのみから空気が吹き出される状態にする、すなわち下吹出口３からの空気の吹き出しを停止することを指示する指令信号がコントローラ３０に送信されてきたか否かが判定される。ステップＳ１４において、ユーザが、操作部２０の操作によって、上吹出口１、左側部吹出口２ｂ、および右側部吹出口２ａのみからの空気が吹き出される状態にすることを示す指令信号をコントローラ３０に送信しているのであれば、ステップＳ１２において、下ダンパ６および下ルーバ３ａを閉じる制御が実行される。一方、ステップＳ１４において、ユーザが、上吹出口１、左側部吹出口２ｂ、および右側部吹出口２ａのみから気流が吹き出される状態にすることを示す指令信号が入力されていないのであれば、ステップＳ１５において、下ダンパ６および下ルーバ３ａを開くための制御が実行される。その後、ステップＳ１３の処理が実行される。
【００６１】
上記本実施の形態の空気調和機の室内機５０の制御によれば、暖房運転時においても、上吹出口１、左側部吹出口２ｂ、および右側部吹出口２ａのみから気流が吹き出される状態にする制御が実行されることが決定されている場合には、下ダンパ６および下ルーバ３ａが閉じられ、上吹出口１、左側部吹出口２ｂ、および右側部吹出口２ａのみから気流が吹き出される。その結果、暖房運転時においても、上吹出口１、左側部吹出口２ｂ、および右側部吹出口２ａのみから気流を吹き出することによって、上吹出口１、下吹出口３、左側部吹出口２ｂ、および右側部吹出口２ａの全てから気流を吹き出す場合に比較して、より遠方に暖かい空気を送り出すことができる。
【００６２】
（実施の形態３）
次に、図１８を用いて、本発明の実施の形態の空気調和機が説明される。
【００６３】
本実施の形態の空気調和機の室内機５０の構造および機能は、前述の実施の形態１の空気調和機の室内機５０の構造および機能とほぼ同一であるため、以下においては、本実施の形態の空気調和機の室内機５０の構成のうち上記実施の形態１の空気調和機の室内機５０の構成と異なる点が主に説明される。
【００６４】
図１８に示されるように、本実施の形態の空気調和機の室内機５０のコントローラ３０においては、まず、ステップＳ２１において、現在の運転状態が冷房運転状態であるか暖房運転状態であるかが判定される。ステップＳ２１において、現在の運転状態が冷房状態であると判定されれば、ステップＳ２２において、上吹出口１、左側部吹出口２ｂ、および右側部吹出口２ａのみから空気が吹き出される状態にすることを指示する指令信号がコントローラ３０に送信されてきたか否かが判定される。ステップＳ２１において、上吹出口１、左側部吹出口２ｂ、および右側部吹出口２ａのみから空気が吹き出される状態にすることを指示する指令信号がコントローラ３０に送信されてきていれば、ステップＳ２４において、下ダンパ６を閉じるための制御が実行される。
【００６５】
一方、ステップＳ２２において、上吹出口１、左側部吹出口２ｂ、および右側部吹出口２ａのみから空気が吹き出される状態にすることを指示する指令信号がコントローラ３０に送信されてきていないのであれば、ステップＳ２３において、最大出力で運転するための制御が実行されているか否かが判別される。ステップＳ２３において、最大出力で冷房運転することが決定されていない場合には、Ｓ２４において、下ダンパを閉じるための制御が実行される。
【００６６】
なお、本明細書において、最大出力での運転とは、ファン５の回転速度をモータの最大能力で回転させるか、または、圧縮機の回転または往復運動の速度等の冷凍機を最大能力で運動させることを意味する。このことは、以後の各実施の形態において同様とする。
【００６７】
一方、ステップＳ２３において、最大出力で冷房運転することが決定されている場合には、ステップＳ２７において、下ダンパ６を開くための制御が実行される。
【００６８】
また、ステップＳ２１において、現在の状態が暖房運転状態である場合には、ステップＳ２６において、上吹出口１、左側部吹出口２ｂ、および右側部吹出口２ａのみから空気が吹き出される状態にすることを指示する指令信号がコントローラ３０に送信されてきているか否かが判定される。
【００６９】
ステップＳ２６において、上吹出口１、左側部吹出口２ｂ、および右側部吹出口２ａのみから空気が吹き出される状態にすることを指示する指令信号がコントローラ３０に送信されてきている場合には、ステップＳ２４において、コントローラ３０は、目標とする室内温度の設定値を最も小さくするとともに、下ダンパ６を閉じるための制御を実行する。一方、ステップＳ２６において、上吹出口１、左側部吹出口２ｂ、および右側部吹出口２ａのみから空気が吹き出される状態にすることを指示する指令信号がコントローラ３０に送信されてきていないのであれば、Ｓ２７において、下ダンパ６を開くための制御が実行される。なお、ステップＳ２５においては、その他の通常仕様の運転が実行される。
【００７０】
上記の構成によれば、最大出力での冷房運転時に、上吹出口１、左側部吹出口２ｂ、および右側部吹出口２ａのみならず、下吹出口３からも冷風を吹き出すことによって、室内空間を急速に冷房することが可能になる。
【００７１】
（実施の形態４）
次に、図１９を用いて、本発明の実施の形態４の空気調和機が説明される。本実施の形態の空気調和機の室内機５０の構造および機能は、前述の実施の形態１の空気調和機の室内機５０の構造および機能とほぼ同一であるため、以下においては、本実施の形態の空気調和機の室内機５０の構成のうち上記実施の形態１の空気調和機の室内機５０の構成と異なる点が主に説明される。
【００７２】
図１９に示されるように、本実施の形態の空気調和機の室内機５０のコントローラ３０においては、まず、ステップＳ３１において、現在の運転状態が冷房運転状態であるかまたは暖房運転状態であるか否かが判定される。ステップＳ３１において、現在の運転状態が冷房状態であると判定された場合には、ステップＳ３２において、上ダンパ９が開かれるとともに下ダンパ６が閉じられる制御が実行される。
【００７３】
一方、ステップＳ３１において、現在の運転状態が暖房運転状態であると判定された場合には、ステップＳ３４において、上ダンパ９が閉じられるとともに下ダンパ６が開かれる制御が実行される。ステップＳ３２およびステップＳ３４のうちのいずれの処理が終わった後においても、ステップＳ３３において、その他の通常仕様の運転の制御が実行される。
【００７４】
上記の構成によれば、冷房運転時には、上吹出口１、左側部吹出口２ｂ、および右側部吹出口２ａから冷風が吹き出され、暖房運転時には、下吹出口３、左側部吹出口２ｂ、および右側部吹出口２ａから温風が吹き出される。
【００７５】
このような本実施の形態の制御によれば、冷房運転時には、下吹出口３から冷風が吹き出されないため、床面の近傍に冷気溜りが発生してしまうことが防止される。なお、上吹出口１から吹き出される冷気が上方から下方へ降り注ぐため、室内空間の温度分布が上下方向においてより均一になる。
【００７６】
また、暖房運転時には、上吹出口１から風が吹き出されないために、下吹出口３、左側部吹出口２ｂ、および右側部吹出口２ａから吹き出される温風の量が増加する。そのため、床面の近傍の空間において空気調和機の室内機５０から遠い位置まで温風を到達させることができる。
【００７７】
（実施の形態５）
次に、図２０を用いて、本発明の実施の形態５の空気調和機の制御が説明される。本実施の形態の空気調和機の室内機５０の構造および機能は、前述の実施の形態１の空気調和機の室内機５０の構造および機能とほぼ同一であるため、以下においては、本実施の形態の空気調和機の室内機５０の構成のうち上記実施の形態１の空気調和機の室内機５０の構成と異なる点が主に説明される。
【００７８】
図２０に示されるように、本実施の形態の空気調和機の室内機５０のコントローラ３０の制御においては、まず、ステップＳ４１において、現在の運転状態が冷房運転状態であるかまたは暖房運転状態であるか否かが判定される。現在の運転状態が冷房運転状態であると判定されれば、ステップＳ４２において、上ダンパ９が開かれるとともに下ダンパ６が閉じられる制御が実行される。
【００７９】
一方、ステップＳ４１において、現在の運転状態が暖房運転状態であると判定されれば、上吹出口１、左側部吹出口２ｂ、および右側部吹出口２ａのみから空気が吹き出される状態にすることを指示する指令信号がコントローラ３０に送信されてきているか否か判定される。ステップＳ４４において、上吹出口１、左側部吹出口２ｂ、および右側部吹出口２ａのみから空気が吹き出される状態にすることを指示する指令信号がコントローラ３０に送信されてきていれば、ステップＳ４２において、上ダンパ９が開かれるとともに下ダンパ６が閉じられる制御が実行される。一方、ステップＳ４４において、上吹出口１、左側部吹出口２ｂ、および右側部吹出口２ａのみから空気が吹き出される状態にすることを指示する指令信号がコントローラ３０に送信されてきていなければ、上ダンパ９が閉じられるとともに下ダンパ６が開かれる制御が実行される。
【００８０】
なお、本実施の形態においても、ステップＳ４２およびＳ４５が終了した後には、ステップＳ４３において、その他の通常仕様の運転が実行される。
【００８１】
本実施の形態の制御によれば、Ｓ４２において、暖房運転時に、下ダンパ６を閉じることにより、上吹出口１、左側部吹出口２ｂ、および右側部吹出口２ａから温風を吹き出すための処理が実行される。したがって、暖房運転時に、下吹出口３から気流が床面から上方に向かって吹き上がることに起因する不都合の発生を防止することができる。不都合としては、例えば、机上の紙などの軽いものが吹き飛ばされたり、下吹出口３を遮蔽するように置かれた物に集中的に温風が衝突したりすることなどが考えられる。このとき、上ダンパ９を開くことにより、温風の風量を大きくすることができるため、暖房能力を向上させることができる。
【００８２】
（実施の形態６）
次に、図２１を用いて、本発明の実施の形態６の空気調和機の制御が説明される。本実施の形態の空気調和機の室内機５０の構造および機能は、前述の実施の形態１の空気調和機の室内機５０の構造および機能とほぼ同一であるため、以下においては、本実施の形態の空気調和機の室内機５０の構成のうち上記実施の形態１の空気調和機の室内機５０の構成と異なる点が主に説明される。
【００８３】
図２１に示されるように、本実施の形態の空気調和機の室内機５０のコントローラ３０の制御においては、まず、ステップＳ５１において、現在の運転状態が、暖房状態であるか冷房状態であるかが判定される。ステップＳ５１において、現在の運転状態が冷房状態であると判定された場合には、ステップＳ５２において、上吹出口１、左側部吹出口２ｂ、および右側部吹出口２ａのみから空気が吹き出される状態にすることを指示する指令信号がコントローラ３０に送信されてきているか否かが判定される。ステップＳ５２において、上吹出口１、左側部吹出口２ｂ、および右側部吹出口２ａのみから空気が吹き出される状態にすることを指示する指令信号がコントローラ３０に送信されてきているのであれば、ステップＳ５３において、最大出力で冷房運転することを指示する信号がコントローラ３０に送信されてきているか否かが判定される。
【００８４】
ステップＳ５３において、最大出力で冷房運転することを指示する信号がコントローラ３０に送信されてきていなければ、ステップＳ５４の処理が実行される。ステップＳ５４においては、上ダンパ９が開かれ、下ダンパ６が閉じられる。その後、ステップＳ５５において、その他の通常仕様運転が実行される。
【００８５】
また、ステップＳ５１において、現在の運転状態が暖房運転状態であると判定されれば、ステップＳ５６において、上吹出口１、左側部吹出口２ｂ、および右側部吹出口２ａのみから空気が吹き出される状態にすることを指示する指令信号がコントローラ３０に送信されてきているか否かが判定される。ステップＳ５６において、上吹出口１、左側部吹出口２ｂ、および右側部吹出口２ａのみから空気が吹き出される状態にすることを指示する指令信号がコントローラ３０に送信されてきているのであれば、ステップＳ５４において、上ダンパ５が開かれるとともに下ダンパ６が閉じられる。
【００８６】
一方、ステップＳ５６において、上吹出口１、左側部吹出口２ｂ、および右側部吹出口２ａのみから空気が吹き出される状態にすることを指示する指令信号がコントローラ３０に送信されてきていないのであれば、ステップＳ５７において、最大出力で暖房運転することを指示する信号がコントローラ３０に送信されてきているか否かが判定される。
【００８７】
ステップＳ５７において、最大出力で暖房運転することを指示する信号がコントローラ３０に送信されてきていなければ、ステップＳ５９において、上ダンパ９が閉じられるとともに下ダンパ６が開かれる。一方、ステップＳ５７において、最大出力で暖房運転することを指示する信号がコントローラ３０に送信されてきていれば、ステップＳ５８において、上ダンパ９が開かれるとともに下ダンパ６も開かれる。なお、ステップＳ５８およびステップＳ５９の処理が終了した後においては、ステップＳ５５の処理が実行される。
【００８８】
本実施の形態の制御によれば、Ｓ５４において、暖房運転時に、下ダンパ６を閉じることにより、上吹出口１、左側部吹出口２ｂ、および右側部吹出口２ａから温風を吹き出すための処理が実行される。したがって、下吹出口３から気流が床面から上方に向かって吹き上がることに起因する不都合の発生を防止することができる。このとき、上ダンパ９を開くことにより、温風の風量を大きくすることができるため、暖房能力を向上させることができる。
【００８９】
また、上記の構成によれば、最大出力で運転する場合には、冷房運転時および暖房運転時のいずれにおいても、Ｓ５８において、上吹出口１、下吹出口３、左側部吹出口２ｂ、および右側部吹出口２ａから風を吹き出す制御が実行される。そのため、冷房運転時には、室外空間を急速に冷房することが可能になる。また、暖房運転時においては、空気調和機から吹き出される全風量が増加するため、暖房能力が向上する。
【００９０】
（実施の形態７）
次に、図２２を用いて、実施の形態７の空気調和機の室内機５０のコントローラ３０の制御が説明される。本実施の形態の空気調和機の室内機５０の構造および機能は、前述の実施の形態１の空気調和機の室内機５０の構造および機能とほぼ同一であるため、以下においては、本実施の形態の空気調和機の室内機５０の構成のうち上記実施の形態１の空気調和機の室内機５０の構成と異なる点が主に説明される。
【００９１】
図２２に示されるように、本実施の形態の空気調和機のコントローラ３０の制御においては、まず、ステップＳ６０において、冷房運転状態において、最大出力の冷房運転が実行されており、かつ、目標とすべき室内温度または熱交換器７の温度の設定値が最低値に設定されるとともに、その他の通常仕様の運転が実行される。次に、ステップＳ６１において、室内温度センサ４０または熱交換器温度センサ６０からコントローラ３０へ送信されてきた信号によって特定される室内空気の温度または熱交換器７の温度が、目標とすべき室内温度または熱交換器７の温度の設定値に到達したか否かが判定される。
【００９２】
ステップＳ６１において、室内温度センサ４０または熱交換器温度センサ６０からコントローラ３０へ送信されてきた信号によって特定される室内空気の温度または熱交換気７の温度が、目標とすべき室内温度または熱交換器７の温度の設定値に到達したと判定された場合には、ステップＳ６４において、下ルーバ３ａおよび下ダンパ６が閉じられる。なお、下ルーバ３ａは、手動操作によって開閉される場合には、常に開かれた状態になっている。
【００９３】
一方、ステップＳ６１において、室内温度センサ４０または熱交換器温度センサ６０から送信されてきた信号によって特定される室内温度センサ４０または熱交換器温度センサ６０の温度が、目標とすべき室内温度または熱交換器７の温度の設定値に到達していなければ、ステップＳ６２において、室内温度センサ４０または熱交換器温度センサ６０から送信されてきた信号によって特定される室内空気の温度または熱交換器７の温度が設定値より高い所定値とその設定値との間の温度の状態で所定時間が経過しているか否かが判定される。
【００９４】
ステップＳ６２において、室内温度センサ４０または熱交換器温度センサ６０から送信されてきた信号によって特定されるそれらの温度が設定値と所定値との間の温度でありかつ所定時間以上が経過していれば、ステップＳ６４において、下ルーバ３ａおよび下ダンパ６が閉じられる。
【００９５】
一方、ステップＳ６２において、室内温度センサ４０または熱交換器温度センサ６０から送信されてきた信号によって特定されるそれらの温度が設定値より高い所定値とその設定値との間の温度でありかつ所定時間が経過していなければ、ステップＳ６３において、室内温度センサ４０または熱交換器温度センサ６０からコントローラ３０へ送信されてきた信号によって特定されるその温度が、目標とすべき室内温度または熱交換器７の温度の設定値に到達した後、所定時間が経過しているか否かが判定される。
【００９６】
ステップＳ６３において、室内温度センサ４０または熱交換器温度センサ６０からコントローラ３０へ送信されてきた信号によって特定される室内空気の温度または熱交換器７の温度が、目標とすべき室内温度または熱交換器７の温度の設定値に到達した後、所定時間が経過していなければ、ステップＳ６０〜ステップＳ６３の処理が繰返される。一方、ステップＳ６３において、室内温度センサ４０または熱交換器温度センサ６０からコントローラ３０へ送信されてきた信号によって特定される室内空気の温度または熱交換器７の温度が、目標とすべき室内温度または熱交換器７の温度の設定値に到達した後、所定時間が経過していれば、ステップＳ６４において、下ダンパ６および下ルーバ３ａが閉じられる。
【００９７】
一般に、冷房運転時に、長時間にわたって下吹出口３から冷風を吹き出していると、床面に結露が発生する恐れがある。しかしながら、上記の構成によれば、室内温度が設定温度に達した場合には、下ダンパ６および下ルーバ３ａを閉じることにより、下吹出口３からの冷風の吹き出しが停止されるため、床面上での結露の発生を防止することができる。
【００９８】
（実施の形態８）
次に、図２３を用いて、実施の形態８の空気調和機の室内機の制御が説明される。本実施の形態の空気調和機の室内機５０の構造および機能は、前述の実施の形態１の空気調和機の室内機５０の構造および機能とほぼ同一であるため、以下においては、本実施の形態の空気調和機の室内機５０の構成のうち上記実施の形態１の空気調和機の室内機５０の構成と異なる点が主に説明される。
【００９９】
図２３に示されるように、本実施の形態の空気調和機の制御においては、まず、ステップＳ７１において、最大出力での暖房運転状態に設定され、かつ、その他の通常仕様の運転が実行される。次に、ステップＳ７２において、室内温度センサ４０または熱交換器温度センサ６０によって特定される室内空気の温度または熱交換器７の温度が目標とすべき温度の設定値に達したか否かが判定される。
【０１００】
ステップＳ７２において、室内温度センサ４０または熱交換器温度センサ６０によって特定される室内空気の温度または熱交換器７の温度が目標とすべき温度の設定値に達していなければ、ステップＳ７１の処理が繰返される。一方、ステップＳ７２において、室内温度センサ４０または熱交換器温度センサ６０によって特定される室内空気の温度または熱交換器７の温度が目標とすべき温度の設定値に達していれば、ステップＳ７３において、上ルーバ１ａおよび上ダンパ９が閉じられる。
【０１０１】
一般に、温風は、空気密度が低く軽いため、上方へ流れ易くなっている。上記の構成によれば、室空間の温度が設定温度に達しているまたは超えている場合に、上吹出口１から温風が吹き出されることを停止することにより、室内空気の温度の均一性を維持することができる。
【０１０２】
上記各実施の形態の空気調和機は、左側部吹出口２ｂを閉じ得るとともに左側部吹出口２ｂから吹き出される風が流れる方向を変化させ得るように姿勢を変更することが可能に設けられた左側部蓋部材２０ｂと、右側部吹出口２ａを閉じ得るとともに右側部吹出口２ａから吹き出される風が流れる方向を変化させ得るように姿勢を変更することが可能に設けられた右側部蓋部材２０ａとをさらに備えていることが望ましい。
【０１０３】
また、左側部蓋部材２０ｂおよび右側部蓋部材２０ａは、それぞれ、当該空気調和機によって温度調節される空間内の当該空気調和機の設置位置に応じて姿勢が変更され得るものであることが望ましい。
【０１０４】
上記構成によれば、空気調和機の空間内における設置位置に応じて内側壁に沿った方向において効果的に風を吹き出すことが可能になる。そのため、コアンダ効果を利用して室内空間全体を包み込むように風を生成することによって、室内空間の温度分布を均一化することができる。また、左側部蓋部材２０ｂおよび右側部蓋部材２０ａがそれぞれ左側部吹出口２ｂおよび右側部吹出口２ａを閉じているときには、上吹出口１から集中的に風を吹き出すことができるため、通常ユーザが居住する室内空間の中央部を急速に冷房または暖房することができる。なお、左側部蓋部材２０ｂおよび右側部蓋部材２０ａは、それぞれ、手動で姿勢が変更されるものであっても、ステッピングモータ等によりコントローラ３０からの制御信号に応じて姿勢が変更されるものであってもよく、いずれの構成によっても同一の効果が得られる。
【０１０５】
なお、今回開示された実施の形態はすべての点で例示であって制限的なものではないと考えられるべきである。本発明の範囲は上記した説明ではなく特許請求の範囲によって示され、特許請求の範囲と均等の意味および範囲内でのすべての変更が含まれることが意図される。
【図面の簡単な説明】
【０１０６】
【図１】実施の形態の空気調和機の室内機の正面図である。
【図２】実施の形態の空気調和機の室内機の左側面図である。
【図３】実施の形態の空気調和機の室内機の内部構成を示す図である。
【図４】実施の形態の空気調和機の室内機の内部構成を示す図である。
【図５】左側部吹出口、右側部吹出口、上吹出口および下吹出口のそれぞれから気流が吹き出されているときの状態を説明するための横断面の模式図である。
【図６】左側部吹出口、右側部吹出口、上吹出口および下吹出口のそれぞれから気流が吹き出されているときの状態を説明するための縦断面の模式図である。
【図７】左側部吹出口、右側部吹出口、および上吹出口のみから気流が吹き出されているときの状態を説明するための横断面の模式図である。
【図８】左側部吹出口、右側部吹出口、上吹出口のみから気流が吹き出されている状態を示す縦断面の模式図である。
【図９】実施の形態の空気調和機の室内機を模式的に示す図である。
【図１０】実施の形態の空気調和機の室内機を模式的に示す図である。
【図１１】実施の形態の空気調和機の室内機を模式的に示す図である。
【図１２】実施の形態の空気調和機の室内機を模式的に示す図である。
【図１３】実施の形態の空気調和機の室内機を模式的に示す図である。
【図１４】実施の形態の空気調和機の室内機の空気の流れを説明するための図である。
【図１５】実施の形態の空気調和機の室内機のシステム構成を説明するためのブロック図である。
【図１６】実施の形態１の空気調和機の室内機の制御を説明するためのフローチャートである。
【図１７】実施の形態２の空気調和機の室内機の制御を説明するためのフローチャートである。
【図１８】実施の形態３の空気調和機の室内機の制御を説明するためのフローチャートである。
【図１９】実施の形態４の空気調和機の室内機の制御を説明するためのフローチャートである。
【図２０】実施の形態５の空気調和機の室内機の制御を説明するためのフローチャートである。
【図２１】実施の形態６の空気調和機の室内機の制御を説明するためのフローチャートである。
【図２２】実施の形態７の空気調和機の室内機の制御を説明するためのフローチャートである。
【図２３】実施の形態８の空気調和機の室内機の制御を説明するためのフローチャートである。
【符号の説明】
【０１０７】
１  上吹出口、２ａ  右側部吹出口２ａ  左側部吹出口、３  下吹出口、４  筐体、５  ファン、６  下ダンパ、７  熱交換器、８  フィルタ、９  上ダンパ、１６  下ダクト、１９  上ダクト、２０  操作部、３０  コントローラ、４０  室内温度センサ、５０  室内機、６０  熱交換器センサ、１００  室内空間、１００ａ  天井面、１００ｂ  床面、１００ｃ  壁面。
【図１】
2008185274.tif 000003
【図２】
2008185274.tif 000004
【図３】
2008185274.tif 000005
【図４】
2008185274.tif 000006
【図５】
2008185274.tif 000007
【図６】
2008185274.tif 000008
【図７】
2008185274.tif 000009
【図８】
2008185274.tif 000010
【図９】
2008185274.tif 000011
【図１０】
2008185274.tif 000012
【図１１】
2008185274.tif 000013
【図１２】
2008185274.tif 000014
【図１３】
2008185274.tif 000015
【図１４】
2008185274.tif 000016
【図１５】
2008185274.tif 000017
【図１６】
2008185274.tif 000018
【図１７】
2008185274.tif 000019
【図１８】
2008185274.tif 000020
【図１９】
2008185274.tif 000021
【図２０】
2008185274.tif 000022
【図２１】
2008185274.tif 000023
【図２２】
2008185274.tif 000024
【図２３】
2008185274.tif 000025